【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
撮像環境が第１ステートになること検出する第１検出と、前記第１ステートから第２ステートになることを検出する第２検出とを行う状態検出部と、
前記第１ステートの検出に基づいて第１モードの撮像処理動作を指示し、前記第２ステートの検出に基づいて第２モードの撮像処理動作を指示するモード処理指示部と、を備えた
撮像制御装置。
【請求項２】
前記状態検出部は、
前記撮像環境として、撮像装置の被装着体もしくは被写体、又は撮像装置と通信可能な機器の被装着体が、前記第１ステート又は前記第２ステートとなることの検出を行う
請求項１に記載の撮像制御装置。
【請求項３】
前記状態検出部は、
前記第２検出として、撮像装置の被装着体もしくは被写体、又は撮像装置と通信可能な機器の被装着体の非操作アクションの検出を行う
請求項１又は請求項２に記載の撮像制御装置。
【請求項４】
前記状態検出部は、
前記第１検出として、撮像装置の被装着体もしくは被写体である人の操作アクションの検出を行う
請求項３に記載の撮像制御装置。
【請求項５】
前記状態検出部は、前記第２ステートから第３ステートになることを検出する第３検出を行い、
前記モード処理指示部は、前記第３ステートの検出に基づいて、少なくとも前記第２モードで実行される撮像処理動作の終了を指示する
請求項１から請求項４のいずれかに記載の撮像制御装置。
【請求項６】
前記モード処理指示部が指示する前記第１モードの撮像処理動作は、撮像画像データをリングメモリ形態でメモリへバファリングする処理動作を含み、
前記モード処理指示部が指示する前記第２モードの撮像処理動作は、前記メモリにバファリングされていく撮像画像データのうちで記録画像として保存する範囲を設定する処理動作を含む
請求項１から請求項５のいずれかに記載の撮像制御装置。
【請求項７】
前記モード処理指示部が指示する前記第１モードの撮像処理動作は、前記第１ステートとされた期間の撮像画像データを第１のフレームレートで記録画像として保存するための処理動作を含み、
前記モード処理指示部が指示する前記第２モードの撮像処理動作は、前記第２ステートとされた期間の撮像画像データを前記第１のフレームレートよりは高いフレームレートである第２のフレームレートで記録画像として保存するための処理動作を含む
請求項１から請求項６のいずれかに記載の撮像制御装置。
【請求項８】
前記状態検出部は、前記第２ステートから第３ステートになることを検出する第３検出を行い、
前記モード処理指示部が指示する前記第１モードの撮像処理動作は、撮像画像データを記録画像として保存するための処理動作を含み、
前記モード処理指示部が指示する前記第２モードの撮像処理動作は、撮像画像データの記録を停止するための処理動作を含み、
前記モード処理指示部は、前記第３ステートの検出に基づいて撮像装置の電源オフを指示する
請求項１から請求項４のいずれかに記載の撮像制御装置。
【請求項９】
前記状態検出部は、
撮像装置又は撮像装置と通信可能な機器に搭載されたセンサの検出信号に基づいて、前記第１検出、前記第２検出の一方又は両方を行う
請求項１から請求項８のいずれかに記載の撮像制御装置。
【請求項１０】
前記状態検出部は、
撮像装置によって得られた撮像画像データに基づいて、前記第１検出、前記第２検出の一方又は両方を行う
請求項１から請求項９のいずれかに記載の撮像制御装置。
【請求項１１】
前記状態検出部は、撮像装置と通信可能な機器の間における通信状態に基づいて、前記第１検出、前記第２検出の一方又は両方を行う
請求項１から請求項１０のいずれかに記載の撮像制御装置。
【請求項１２】
前記状態検出部は、
被装着体の行動種別に応じて、前記第１検出、前記第２検出の一方又は両方についての検出条件を設定する
請求項１から請求項１１のいずれかに記載の撮像制御装置。
【請求項１３】
前記状態検出部は、
前記第１検出として複数の検出条件を設定し、
前記第１検出で第１ステートを検出した際の検出条件種別に応じて、前記第２検出の検出条件を設定する
請求項１から請求項１１のいずれかに記載の撮像制御装置。
【請求項１４】
撮像装置を制御する撮像制御装置の撮像制御方法として、
撮像環境が第１ステートになること検出する第１検出手順と、
前記第１ステートの検出に基づいて第１モードの撮像処理動作を指示する第１指示手順と、
前記第１ステートから第２ステートになることを検出する第２検出手順と、
前記第２ステートの検出に基づいて第２モードの撮像処理動作を指示する第２指示手順と、を備えた
撮像制御方法。
【請求項１５】
撮像環境が第１ステートになること検出する第１検出手順と、
前記第１ステートの検出に基づいて第１モードの撮像処理動作を指示する第１指示手順と、
前記第１ステートから第２ステートになることを検出する第２検出手順と、
前記第２ステートの検出に基づいて第２モードの撮像処理動作を指示する第２指示手順とを
演算処理装置に実行させるプログラム。
【手続補正２】
【補正対象書類名】明細書
【補正対象項目名】００６６
【補正方法】変更
【補正の内容】
【００６６】
続いて図５で遠隔制御装置５０の構成例を説明する。
遠隔制御装置５０は無線通信部５１、デジタル信号処理部５２、表示部５３、操作部５４、音声検出部５５、センサ部５６、コントローラ６０を備える。
【手続補正３】
【補正対象書類名】明細書
【補正対象項目名】００６７
【補正方法】変更
【補正の内容】
【００６７】
無線通信部５１は撮像装置１０の無線通信部１６との間で無線通信を行う。無線通信部５１、１６間では、例えば制御データや撮像画像データの通信が行われる。
デジタル信号処理部５２は、撮像装置１０との無線通信により受信されたデータのデコードや表示用の処理などを行う。例えば撮像装置１０から撮像画像データその他の情報が送信されてきた場合に、その撮像画像データについての表示のための処理を行い、表示部５３で表示させる。
表示部５３では、デジタル信号処理部５２で処理された撮像画像の表示データや各種通知情報を表示する。例えば撮像装置１０の動作状態等の表示も行う。
操作部５４は各種操作子を示している。上述した撮像装置１０の操作部３５と同様に各種の操作子の態様が想定される。
【手続補正４】
【補正対象書類名】明細書
【補正対象項目名】００９７
【補正方法】変更
【補正の内容】
【００９７】
第１ステート検出処理の例を図１３に示す。
コントローラ３０はセンサ部１４の検出信号や音声検出部１７からの入力音声信号、或いはイメージャ１２による撮像画像データＤＴを対象に第１ステート検出処理を行う。一例として図１３では、図１０Ａで説明したセンサ部１４の検出信号を対象とする例を示している。
コントローラ３０はまずステップＳ２０１で検波値を取得する。そしてステップＳ２０２で直流成分カットやノイズ平滑化のために検波値に対してフィルタ処理、例えばバンドパスフィルタによる帯域抽出処理を行う。さらにステップＳ２０３で微小振幅カットのためのコアリング処理を行い、ステップＳ２０４で閾値を用いた判定を行う。そしてコントローラ３０はステップＳ２０５で、以上の処理で得られたパルスについて、所定時間内のパルスパタン（パルス発生数やパルス間隔）を、予め登録されているパルスパタンと比較する。
この比較の結果として、コントローラ３０は、第１ステート検出フラグＦ１＝０であって、かつ事前登録されているパタンと一致するパルスパタンが検出されたという条件が満たされなかったら、ステップＳ２０６からＳ２０９に進み、第１ステート検出フラグＦ１＝０の状態を維持する。
上記の条件が満たされた場合は、コントローラ３０は、ステップＳ２０６からＳ２０７に進み、第１ステート検出フラグＦ１＝１とする。つまり第１ステートＳＴ１としてのトリガが検出されたとする。
【手続補正５】
【補正対象書類名】図面
【補正対象項目名】図４
【補正方法】変更
【補正の内容】
【図４】
2017126894.tif 000001
【手続補正６】
【補正対象書類名】図面
【補正対象項目名】図１３
【補正方法】変更
【補正の内容】
【図１３】
2017126894.tif 000002